(57)【要約】      （修正有）【課題】ギター等弦楽器の演奏技術の習得を容易にするために、技術を習得しやすい利き手の訓練から始め、練習意欲を継続させて利き手の演奏技術を向上させ、楽器になじんでから利き手の反対の手の訓練にスムースに移行することができる、安価な弦楽器用コード押さえ補助具を提供する。【解決手段】ギターやウクレレなどのフレットを備えた弦楽器のネック２０の指板３０側に密着し、全弦を押さえるように構成された押付部材１０と、押付部材をネックの指板に押し付ける固定手段と、押付部材に指板面と略平行に取り付けられた弾性を備える板状体からなる押弦補助板１２〜１４とからなり、押弦補助板は指板側の面に取り付けられた押弦部材を備え、押弦部材は、押弦補助板の指板側の面の裏側の面から圧力を加えられない状態においては、弦楽器の指板との間に間隙を備えるように構成する。【選択図】図３
0003217159.tif 000002
【実用新案登録請求の範囲】
【請求項１】
ギターやウクレレなどのフレットを備えた弦楽器のネックの指板側に密着し、全弦を押さえるように構成された押付部材と、
前記押付部材をネックの指板に押し付ける着脱自在の固定手段と、
前記押付部材に指板面と略平行に取り付けられた弾性を備える板状体からなる押弦補助板とからなり、
前記押弦補助板は指板側の面に取り付けられた押弦部材を備え、
前記押弦部材は、前記押弦補助板の指板側の面の裏側の面から圧力を加えられない状態においては、弦楽器の指板との間に間隙を備えるように構成されていること
を特徴とする弦楽器用コード押さえ補助具。
【請求項２】
前記押弦補助板の指板側の面の裏側の面に突出するコード表示部材と、
を更に備えることを特徴とする請求項１に記載の弦楽器用コード押さえ補助具。
【請求項３】
前記押弦補助板の使用者の指が押さえる部分の周囲を囲むように壁状のガード部材を備えることを特徴とする請求項１乃至請求項２に記載の弦楽器用コード押さえ補助具。
【請求項４】
前記押弦補助板に、弦の方向を示す指示線が備えられていることを特徴とする請求項１乃至請求項３のいずれか１項に記載の弦楽器用コード押さえ補助具。
【請求項５】
前記押弦補助板が透明な部材からなることを特徴とする請求項１乃至請求項４のいずれか１項に記載の弦楽器用コード押さえ補助具。
【考案の詳細な説明】
【技術分野】
【０００１】
本考案は、ギター等弦楽器の演奏技術の習得を容易にするために用いる弦楽器用コード押さえ補助具に関する。
【背景技術】
【０００２】
楽器演奏を通じて音楽を習得しようとするときに最初に直面する困難は、まず初歩的な演奏技術を習得することができないと、次の段階の音楽性、芸術性の向上のための訓練に進めないことである。
【０００３】
演奏技術を習得は身体的訓練であり、そのため、音楽の初心者は、楽器演奏の技術を習得しようとするときに直面する、身体の制御技術の獲得のための訓練課題を克服することができず、音楽そのものに対する興味を失ってしまうことがままあるという問題があった。
【０００４】
ギターやウクレレ等、ネックのフレットを備えた指板上に弦が張られ、その弦を弾くことにより音を出すタイプの楽器において、利き手の反対の手で弦を押さえ、利き手でその弦を弾くという、両手で異なる動きを同時に要求される。
【０００５】
そもそも、楽器演奏には楽譜を読む技術を習得しておかなければならないことに加え、ギターやウクレレ等の演奏の際には、利き手の反対の手は、所定の音を出すための指の位置を把握し、音階が異動する際の運指を身につけ、さらに.コード（和音）を弾く際の指の位置の組み合わせを覚えなければならない。特にセーハ（バレー）コードと呼ばれる、人差指ですべての弦を押さえてから残りの指で他の弦を押さえるタイプのコードは、利き手の反対の手に対してかなりの握力やバランスよく弦を押さえる技術を要求し、習得が容易でない。
【０００６】
一方、利き手は、利き手の反対の手で押さえた弦を正確に弾くことはもちろん、利き手の反対の手がコードを押さえた際にすべての弦を一度に弾くだけでなく、アルペジオ（分散和音）として演奏するなど、利き手の反対の手とは異なる技術を習得しなければならない。
【０００７】
このような問題を解決するために、まず技術を習得しやすい利き手の訓練から始める方が、演奏の練習のストレスが少なく、挫折せずに楽器になじむことができ、利き手の反対の手の訓練にスムースに移行することができる。
【０００８】
ただし、利き手の反対の手の操作を一切行わず、利き手だけで反復練習を行うと、出せる音の種類が少なく、練習に面白みを感じられなくなって挫折の原因となってしまうので、利き手の反対の手が簡単な操作を行うことで、和音をいくつか構成できるように弦を押さえることができれば、練習意欲を継続させて、利き手の演奏技術を向上させることができる。多くの歌曲は基本的に３種類のコードで構成されていることが多く、簡単な操作で３種類のコードを押さえることができれば、よく知られた曲に合わせて利き手の訓練を行うことで、練習への意欲を維持するのに役に立つ。
【０００９】
そこで、従来の押・放弦補助具（従来技術）では、ギターやウクレレ等のネックに装着し、楽器奏者の利き手の反対の手と足とからの間接操作を連動させることにより、楽器奏者の押弦・放弦の動きを補助するが知られている（特許文献１）。
【先行技術文献】
【特許文献】
【００１０】
【特許文献１】特開平１０−１４９１５９
【考案の概要】
【考案が解決しようとする課題】
【００１１】
しかし、従来技術は、器具自体を動かしながら足も使うことにより、コードＦのように全部の弦をセーハする動きと、コードＧのように小指と薬指を開いて押さえる動きを補助するものである。これは、コードの形を理解している必要があり、左右の手に加えて足を使うということで、操作は必ずしも容易ではなく、初心者の練習には適していない。また、従来技術品はかさばるため、楽器とともに携帯することに適さない。また、構造が複雑なため、製造コストがかかり安価に提供することができなかった。
【００１２】
本考案はこのような事情に鑑みてなされたものであり、ギター等弦楽器の演奏技術の習得を容易にするために、技術を習得しやすい利き手の訓練から始め、練習意欲を継続させて利き手の演奏技術を向上させ、楽器になじんでから利き手の反対の手の訓練にスムースに移行することができる、安価な弦楽器用コード押さえ補助具を得ることを目的とする。
【課題を解決するための手段】
【００１３】
（１）このような目的に応えるために、本考案に係る弦楽器用コード押さえ補助具は、ギターやウクレレなどのフレットを備えた弦楽器のネックの指板側に密着し、全弦を押さえるように構成された押付部材と、押付部材をネックの指板に押し付ける固定手段と、押付部材に指板面と略平行に取り付けられた弾性を備える板状体からなる押弦補助板とからなり、押弦補助板は指板側の面に取り付けられた押弦部材を備え、押弦部材は、押弦補助板の指板側の面の裏側の面から圧力を加えられない状態においては、弦楽器の指板との間に間隙を備えるように構成されていることを特徴とする。
【００１４】
このように構成することにより、弦楽器用コード押さえ補助具は、使用者が押弦補助板を利き手の反対の手で押すと、押弦部材が弦を押さえて、所定のコードとなるようにしておくことで、通常複数の指での操作が必要なコード押さえ操作を１本の指で行うことができ、利き手の練習に専念することができるという利点がある。
【００１５】
そして、練習が単調になることを防ぐために、弦楽器用コード押さえ補助具は、簡単な操作で複数のコードを押さえることができるようにすれば、使用者は、よく知られた曲に合わせて利き手の訓練を行うことで、練習への意欲を維持することができる。
【００１６】
即ち、複数のコードを押さえることができる弦楽器用コード押さえ補助具は、上記(１）に記載の弦楽器用コード押さえ補助具において、押弦補助板が使用したいコードの枚数分備えられていることを特徴とする。
【００１７】
このように構成することにより、複数のコードを押さえることができる弦楽器用コード押さえ補助具は、使用者がそれぞれのコード用の押弦補助板を利き手の反対の手で押すと、押弦補助板ごとに別のコードとなるようにしておくことで、通常複数の指での操作が必要なコード押さえ操作を１本の指で行うことができ、利き手の練習に専念することができるという利点がある。
【００１８】
また、使用しようとする各コードに共通の音がある場合、１枚の押弦補助板を押さえたときに、他の押弦補助板をも押さえるようにすれば、各押弦補助板に取り付ける押弦部材を減らして、単純な構造にすることができる。
【００１９】
即ち、複数のコードを押さえることができる弦楽器用コード押さえ補助具は、上記(１）に記載の弦楽器用コード押さえ補助具において、各コードに共通の音を押さえるように構成された押弦補助板を、指板と、別な音を押さえるように構成された押弦補助板とで挟むように構成することを特徴とする。
【００２０】
このように構成することにより、１枚の押弦補助板を押すと、その押弦補助板が指板側に押されるだけでなく、各コードに共通の音を押さえるように構成された押弦補助板も指板側に押されるので、各押弦補助板に取り付ける押下部材の数を少なくして単純な構造にすることができるという利点がある。
【００２１】
さらに、単純な構造で、部材の数が少なく、サイズも小さいので、製造コストがあまりかからず、安価に提供することができる。
【００２２】
（２）また、本考案の弦楽器用コード押さえ補助具において、押弦補助板の指板側の面の裏側の面に突出するコード表示部材と、を更に備えることが好ましい。たとえば、長調のスリーコードを押さえる際に、長調４度のコードを押さえる押弦補助板にコード４指示突部を、長調５度のコードを押さえる押弦補助板にコード５指示突部を、それぞれ異なる形状で取り付ける。
【００２３】
このように構成することにより、使用者は押弦補助板を目で見る必要がなく、利き手の反対の手の指で触覚により複数の押弦補助版の押さえる位置を識別することができ、視覚は楽譜を見ることに集中することができるので、さらに利き手の練習に専念することができるという利点がある。
【００２４】
（３）また、本考案の弦楽器用コード押さえ補助具において、押弦補助板の使用者の指が押さえる部分の周囲を囲むように壁状のガード部材、を更に備えることが好ましい。
【００２５】
このように構成することにより、使用者は他の弦の振動を止めないように指を指板に対して垂直に当てるような押弦方法を自然に習得することができ、さらにガード部材に触れないように練習しているうちに正確な押弦位置を自然に習得することができるという利点がある。
【００２６】
（４）また、本考案の弦楽器用コード押さえ補助具において、押弦補助板に、弦の方向を示す指示線、を更に備えることが好ましい。
【００２７】
このように構成することにより、使用者は弦楽器用コード押さえ補助具を装着する際に支持線と弦の方向を合わせることにより正しい位置に装着することが容易にできるという利点がある。
【００２８】
（５）また、本考案の弦楽器用コード押さえ補助具において、押弦補助板を透明な部材とすることが好ましい。
【００２９】
このように構成することにより、使用者は弦楽器用コード押さえ補助具を装着する際に押弦補助板を透かして弦を見ることができ、正しい位置に装着することが容易にできるという利点がある。
【考案の効果】
【００３０】
以上説明したように本考案に係る弦楽器用コード押さえ補助具によれば、利き手の練習に専念することができ、初心者のみならず、障碍者や高齢者の練習に適し、あるいはリハビリにも使用することができる。
【００３１】
また、本考案によれば、弦楽器用コード押さえ補助具を安価に提供することもできるという利点がある。
【図面の簡単な説明】
【００３２】
【図１】本考案に係る弦楽器用コード押さえ補助具の一実施形態を示し、弦楽器用コード押さえ補助具の全体斜視図である。
【図２】図１の弦楽器用コード押さえ補助具をギターのネックに装着する方法を示す斜視図である。
【図３】図１の弦楽器用コード押さえ補助具をギターのネックに装着した状態を示す斜視図である。
【図４】図１の弦楽器用コード押さえ補助具をギターのネックに装着した状態の各弦及び各弦押さえゴムが出す音を示す図である。
【図５】図１の弦楽器用コード押さえ補助具をギターのネックに装着した状態で各押弦補助板の動きを示す図である。
【図６】図５の各押弦補助板の押さえ方により出るコードの音を示す図である。
【図７】本考案に係る弦楽器用コード押さえ補助具の他の実施形態を示し、短調用の弦楽器用コード押さえ補助具をギターのネックに装着した状態の各弦及び各弦押さえゴムが出す音を示す図である。
【図８】図７の弦楽器用コード押さえ補助具をギターのネックに装着した状態で各押弦補助板の動きを示す図である。
【図９】図８の各押弦補助板の押さえ方により出るコードの音を示す図である。
【図１０】本考案に係る弦楽器用コード押さえ補助具の他の実施形態を示し、ウクレレ用の弦楽器用コード押さえ補助具の各弦及び各弦押さえゴムが出す音並びに押弦補助板の動きを示す斜視図である。
【図１１】図１０の各押弦補助板の押さえ方により出るコードの音を示す図である。
【図１２】本考案に係る弦楽器用コード押さえ補助具の他の実施形態を示し、押弦補助板にコード指示突部を備えた状態を示す斜視図である。
【図１３】本考案に係る弦楽器用コード押さえ補助具の他の実施形態を示し、押弦補助板にガード部材を備えた状態を示す斜視図である。
【図１４】本考案に係る弦楽器用コード押さえ補助具の他の実施形態を示し、押弦補助板に支持線を備えた状態を示す斜視図である。
【図１５】図１４の弦楽器用コード押さえ補助具をネックに装着し、弦の位置との関係を示した図である。
【図１６】本考案に係る弦楽器用コード押さえ補助具の他の実施形態を示し、透明な押弦補助板に支持線を備えた状態を示す斜視図である。
【図１７】図１６の弦楽器用コード押さえ補助具をネックに装着し、弦の位置との関係を示した図である。
【図１８】本考案に係る弦楽器用コード押さえ補助具の他の実施形態を示し、ギターの標準チューニング用の楽器用コード押さえ補助具をギターの６弦側から見た透視概念図である。
【図１９】図１３のガイドと押弦補助板の動き方を示す概念図である。
【図２０】標準チューニング時のコードダイヤグラムと、押弦補助板とコード指定ボタンの関係を示す概念図である。
【考案を実施するための形態】
【００３３】
初めに、本考案の第一の実施形態を説明する。図１ないし図６は本考案に係る弦楽器用コード押さえ補助具の一実施形態を示すものである。本考案に係る弦楽器用コード押さえ補助具１は、ギターの右利きの使用者用に構成されており、Ｃメジャー（ハ長調）の３コードの展開（コード１、コード４、コード５）を演奏するためのものである。なお、以下、「コード○○○」における「○○○」に該当するアラビア数字は、本明細書における文字制限がなければ、ローマ数字で本来表される。
【００３４】
図１において、カポタストのように全弦を押さえるギター弦押付部材１０はギターのネック２０に装着するための押付部材押さえゴム紐１１を備え、コード４・５共通弦押さえゴム１５を備えたコード４・５押弦補助板１２と、コード４弦押さえゴム１６を備えたコード４押弦補助板１３と、コード５弦押さえゴム１７を備えたコード５押弦補助板１４とが取り付けられている。
【００３５】
図２はギター弦押付部材１０をネック２０に取り付ける方法を示し、押付部材押さえゴム紐１１を、図中矢印のようにギター弦押付部材１０の一端からネック２０の指板３０の裏側をまわしてギター弦押付部材１０のもう一端に係止することにより、ギター弦押付部材１０をネック２０に取り付ける。
【００３６】
図３はギター弦押付部材１０をネック２０に取り付けた状態を示し、コード４・５共通弦押さえゴム１５を備えたコード４・５共通押弦補助板１２と、コード４弦押さえゴム１６を備えたコード４押弦補助板１３と、コード５弦押さえゴム１７を備えたコード５押弦補助板１４とは、ネック２０の長手方向に沿って指板面と略平行に取り付けられている。
【００３７】
図４はギター弦押付部材１０をネック２０に取り付けた状態の各弦の音を示す。弦楽器用コード押さえ補助具１の構造を単純にするために、ギターの弦は標準チューニングでなく、弦楽器用コード押さえ補助具１用にチューニングする。１弦２１をＥ、２弦２２をその下のＣ＃、３弦２３をその下のＡ、４弦２４をその下のＥ、５弦２５をその下のＡ、６弦２６をその下のＥとする。そして、３フレット３１にギター弦押付部材１０を取り付ける。その状態で、１弦２１はＧ、２弦２２はその下のＥ、３弦２３はその下のＣ、４弦２４はその下のＧ、５弦２５はその下のＣ、６弦２６はその下のＧとなる。コード４・５共通弦押さえゴム１５はコード４・５共通押弦補助板１２の指板３０側の、ギター弦押付部材１０から１フレット目の２弦２２を押さえる位置に取り付けられ、コード４弦押さえゴム１６はコード４押弦補助板１３の指板３０側の、ギター弦押付部材１０から２フレット目の４弦２４を押さえる位置に取り付けられ、コード５弦押さえゴム１７はコード５押弦補助板１４の指板３０側の、ギター弦押付部材１０から２フレット目の３弦２３を押さえる位置に取り付けられている。
【００３８】
図５はギター弦押付部材１０をネック２０に取り付けた状態の押弦補助板の位置関係を示す。コード４・５共通押弦補助板１２は、コード４押弦補助板１３とコード５押弦補助板１４より指板３０側に取り付けられている。（ａ）は、すべての押弦補助板が押さえられない状態で、どの弦押さえゴムも弦を押さえていない。（ｂ）は、コード４押弦補助板１３が押さえられた状態で、コード４・５共通押弦補助板１２も同時に押さえられている。（ｃ）は、コード５押弦補助板１４が押さえられた状態で、コード４・５共通押弦補助板１２も同時に押さえられている。
【００３９】
図６は図５の押さえ方によるコードを示す。（ａ）は、図５の（ａ）の状態で、１弦２１はＧ、２弦２２はその下のＥ、３弦２３はその下のＣ、４弦２４はその下のＧ、５弦２５はその下のＣ、６弦を弾かず、コードはＣ（１度）となる。（ｂ）は、図５の（ｂ）の状態で、１弦２１はＧ、２弦２２はその下のＦ、３弦２３はその下のＣ、４弦２４はその下のＡ、５弦２５はその下のＣ、６弦を弾かず、コードはＦ９（４度）となる。（ｃ）は、図５の（ｃ）の状態で、１弦２１はＧ、２弦２２はその下のＦ、３弦２３はその下のＤ、４弦２４はその下のＧ、５弦２５はその下のＣ、６弦２６はその下のＧで、コードはＧｓｕｓ４（５度）となる。
【００４０】
次に、本考案の第二の実施形態を説明する。図７ないし図９は、本考案に係る弦楽器用コード押さえ補助具の第二の実施形態を示すものであり、第二の実施形態は、Ａマイナー（イ短調）の３コードの展開（コード１ｍ、コード４ｍ、コード５）を演奏するためのものであり、ギターは短調用にチューニングする。図９で示すように、１弦２１をＥ♭、２弦２２をその下のＢ、３弦２３をその下のＡ♭、４弦２４をその下のＥ♭、５弦２５をその下のＡ♭、６弦２６をその下のＥ♭とする。そして、１フレット３２にギター弦押付部材１０を取り付ける。その状態で、１弦２１はＥ、２弦２２はその下のＣ、３弦２３はその下のＡ、４弦２４はその下のＥ、５弦２５はその下のＡ、６弦２６はその下のＥとなる。コード４ｍ・５共通押さえゴム４５はコード４ｍ・５共通押弦補助板４２の指板３０側の、ギター弦押付部材１０から２フレット目の２弦２２を押さえる位置に取り付けられ、コード４ｍ第１弦押さえゴム４６はコード４ｍ押弦補助板４３の指板３０側の、ギター弦押付部材１０から１フレット目の１弦２１を押さえる位置に取り付けられ、コード４ｍ第２弦押さえゴム４７はコード４ｍ押弦補助板４３の指板３０側の、ギター弦押付部材１０から１フレット目の４弦２４を押さえる位置に取り付けられ、コード５第１弦押さえゴム４８はコード５押弦補助板４４の指板３０側の、ギター弦押付部材１０から２フレット目の３弦２３を押さえる位置に取り付けられ、コード５第２弦押さえゴム４９はコード５押弦補助板４４の指板３０側の、ギター弦押付部材１０から２フレット目の５弦２５を押さえる位置に取り付けられている。
【００４１】
図８はギター弦押付部材１０をネック２０に取り付けた状態の押弦補助板の位置関係を示す。短調共通押弦補助板４２は、コード４ｍ押弦補助板４３とコード５押弦補助板４４より指板３０側に取り付けられている。（ａ）は、すべての押弦補助板が押さえられない状態で、どの弦押さえゴムも弦を押さえていない。（ｂ）は、コード４ｍ押弦補助板４３が押さえられた状態で、コード４ｍ・５共通押弦補助板４２も同時に押さえられている。（ｃ）は、コード５押弦補助板４４が押さえられた状態で、コード４ｍ・５共通押弦補助板４２も同時に押さえられている。
【００４２】
図９は図８の押さえ方によるコードを示す。（ａ）は、図８の（ａ）の状態で、１弦２１はＥ、２弦２２はその下のＣ、３弦２３はその下のＡ、４弦２４はその下のＥ、５弦２５はその下のＡ、６弦を弾かず、コードはＡｍ（１度）(１ｍ)となる。（ｂ）は、図８の（ｂ）の状態で、１弦２１はＦ、２弦２２はその下のＤ、３弦２３はその下のＡ、４弦２４はその下のＦ、５弦２５はその下のＡ、６弦を弾かず、コードはＤｍ（４度）(コード４ｍ)となる。（ｃ）は、図８の（ｃ）の状態で、１弦２１はＥ、２弦２２はその下のＤ、３弦２３はその下のＢ、４弦２４はその下のＥ、５弦２５はその下のＢ、６弦２６はその下のＥで、コードはＥ７ｏｍｉｔ３（５度）(コード５)となる。
【００４３】
次に本考案の第三の実施形態を説明する。図１０ないし図１１は、本考案に係る弦楽器用コード押さえ補助具の第三の実施形態を示す図であり、ウクレレ右利きの使用者用に構成されたものである。第三の実施形態は、Ｃメジャー（ハ長調）の３コードの展開（コード１、コード４、コード５）を演奏するためのものである。
【００４４】
図１０の（ｘ）において示すように、１弦はＧ♭、２弦はその下のＥ♭、３弦はその下のＢ、４弦はその下のＧ♭とし、１フレット３２にウクレレ弦押付部材５０を取り付ける。（ｙ）において示すように、ウクレレ弦押付部材５０には、ウクレレ指板に近い順に、まず第１層に、コード４・５共通弦押さえゴム付弦押さえ板５６とコード４第１弦押さえゴム付弦押さえ板５７とコード４第２弦押さえゴム付弦押さえ板５８とコード５弦押さえゴム付弦押さえ板５９とが、次に第２層に、コード４押弦補助板５２が、最後にウクレレ指板から最も遠い第３層に、コード５押弦補助板５３が取り付けられている。
【００４５】
図１０の（ｙ）において示すように、コード４・５共通弦押さえゴム付弦押さえ板５６は、ウクレレ弦押付部材５０から１フレット目の２弦を押さえ、コード４第１弦押さえゴム付弦押さえ板５７は、ウクレレ弦押付部材５０から２フレット目の１弦を押さえ、コード４第２弦押さえゴム付弦押さえ板５８は、ウクレレ弦押付部材５０から２フレット目の４弦を押さえ、コード５弦押さえゴム付弦押さえ板５９は、ウクレレ弦押付部材５０から２フレット目の３弦を押さえるように構成されている。
【００４６】
図１０の（ｙ）において示すように、コード４・５共通弦押さえゴム付弦押さえ板５６は、ウクレレ弦押付部材５０から１フレット目の２弦を押さえ、コード４第１弦押さえゴム付弦押さえ板５７は、ウクレレ弦押付部材５０から２フレット目の１弦を押さえ、コード４第２弦押さえゴム付弦押さえ板５８は、ウクレレ弦押付部材５０から２フレット目の４弦を押さえ、コード５弦押さえゴム付弦押さえ板５９は、ウクレレ弦押付部材５０から２フレット目の３弦を押さえるように構成されている。
【００４７】
図１０の（ｙ）及び（ｂ）において示すように、コード４押弦補助板５２は、コード４・５共通弦押さえゴム付弦押さえ板５６と、コード４第１弦押さえゴム付弦押さえ板５７と、コード４第２弦押さえゴム付弦押さえ板を押さえるように構成されていて、コード５押弦補助板５３に取り付けられたコード４・５共通弦押さえゴム押付部材５４を貫通させるコード４・５共通弦押さえゴム押付部材貫通孔５５が設けられている。
【００４８】
図１０の（ｙ）及び（ｃ）において示すように、コード５押弦補助板５３は、コード５弦押さえゴム付弦押さえ板押付部材５１を介してコード５弦押さえゴム付弦押さえ板５９を、コード４・５共通弦押さえゴム押付部材５４を介してコード４・５共通弦押さえゴム付弦押さえ板５６を押さえるように構成されている。
【００４９】
図１１は図１０の押さえ方によるコードを示す。（ａ）は、押弦補助板を押さえない状態で、１弦はＧ、２弦はその下のＥ、３弦はその下のＣ、４弦はその下のＧで、コードはＣ（１度）Ｃ、４弦２４はその下のＡで、コードはＦ（４度）となる。（ｃ）は、図１０の（ｃ）の状態で、１弦はＧ、２弦はその下のＦ、３弦はその下のＤ、４弦はその下のＧで、コードはＧ７（５度）となる。
【００５０】
以上の実施例において、ギターやウクレレにそれぞれの調性に合わせたチューニングを行うことによって、押弦補助板を押さえない状態、コード４用の押弦補助板を押さえた状態、コード５用の押弦補助板を押さえた状態の３種類の操作で、３コードの演奏を行うことができ、左手の操作が容易であることから、右手の練習に専念することができるという利点がある。
【００５１】
さらに、ギター弦押付部材１０を取り付けるフレットを変えることにより、容易に転調することができるという利点がある。
【００５２】
次に本考案の第四の実施形態を説明する。図１２は、本考案に係る弦楽器用コード押さえ補助具の第四の実施形態を示す図であり、コード４押弦補助板１３の指板３０と反対側の面にコード４指示突部１８が方形で、コード５押弦補助板１４の指板３０と反対側の面にコード５指示突部１９が星形で設けられている。
【００５３】
このように構成することで、使用者は触覚でコード４押弦補助板１３とコード５押弦補助板１４とを区別することができるので、左手側を見ずにコード４と５を使い分けることができることから、右手の練習に専念することができるという利点がある。また、方形は先端が４つあることから４度のコード、星型は先端が５つあることから５度のコードを表し、技術の向上にともなってノーマルチューニングに移行したときのコードの概念と感覚をつなぐ利点がある。
【００５４】
次に本考案の第五の実施形態を説明する。図１３は、本考案に係る弦楽器用コード押さえ補助具の第五の実施形態を示す図であり、コード４押弦補助板１３の指板３０と反対側の面と、コード５押弦補助板１４の指板３０と反対側の面と、の押さえゴムの真裏の使用者の指で押さえる部分を囲むようにガード部材７０が設けられている。
【００５５】
このように構成することで、使用者がガード部材７０に囲まれた部分に指を入れると、目視しなくても弦を押さえる正確な位置を指で押さえることができるという利点がある。そして、ガードの厚みがあるので、指を指板に対して垂直に当てなければならず、これにより他の弦の振動を止めないような指板への指の当て方を自然に習得することができる。
【００５６】
次に本考案の第六の実施形態を説明する。図１４ないし図１５は、本考案に係る弦楽器用コード押さえ補助具の第六の実施形態を示す図であり、図１４に示すように、コード４押弦補助板１３の指板３０と反対側の面と、コード５押弦補助板１４の指板３０と反対側の面と、に弦に沿う方向に支持線７１が設けられている。図１５は、弦楽器用コード押さえ補助具をネックに装着した際の弦との位置関係を示す。
【００５７】
このように構成することで、使用者は弦楽器用コード押さえ補助具をネックに装着する際に、支持線７１と各弦２１〜２５の方向を合わせることで、正確な位置に装着することができるという利点がある。
【００５８】
次に本考案の第六の実施形態を説明する。図１６ないし図１７は、本考案に係る弦楽器用コード押さえ補助具の第六の実施形態を示す図であり、図１６に示すように、透明コード４押弦補助板７３と、透明コード５押弦補助板７４と、に弦に沿うように支持線７１が設けられている。図１７は、弦楽器用コード押さえ補助具をネックに装着した際の弦との位置関係を示す。
【００５９】
このように構成することで、使用者は弦楽器用コード押さえ補助具をネックに装着する際に、支持線７１と各弦２１〜２５の方向を合わせることがより容易になり、押さえゴム１５〜１７の位置を確認することもでき、正確な位置に装着することができるという利点がある。
【００６０】
次に本考案の第五の実施形態を説明する。図１８ないし図２０は、本考案に係る弦楽器用コード押さえ補助具の第五の実施形態を示すものであり、ギターの通常のチューニングに準ずる状態で、手軽にコードを押さえるためのものである。
【００６１】
図１８は、第五の実施形態に係る弦楽器用コード押さえ補助具を６弦側から見た透視概念図であり、任意の１弦について押弦する構造を示す。（ａ）において、ギター弦押付部材６０には、ネックの１弦側から押弦補助板Ａ６３、押弦補助板Ｂ６４、ガイド６２、押弦補助板Ａ’６３、押弦補助板Ｂ’６４の５枚が１組となった押弦補助手段がネック３０の長手方向に沿って取り付けられており、押弦補助板ＡとＡ’６３のネック３０側に押弦補助板Ｂ６４とガイド６２とをまたいで弦押さえゴム６５が備えられ、押弦補助板ＢとＢ’６４のネック３０側にガイド６２と押弦補助板Ａ’６３とガをまたいで弦押さえゴム６５が備えられている。（ｂ）において示すように、押弦補助手段は、シリコンゴム６８によってケース６７から吊り下げられ、コード指定ボタン６６を押すことにより、所定の弦押さえゴム６５が弦６１を押さえ、その組み合わせによって、コードを決定することができる。
【００６２】
図１９は、ガイド６２、押弦補助板Ａ、Ａ’６３、押弦補助板Ｂ、Ｂ’６４、弦押さえゴム６５、コード指定ボタン６６の構成のみを示す概念図であり、この場合、押弦補助板Ｂ、Ｂ’６４を押さえるコード指定ボタン６６だけが押された状態を示している。１弦ごとには、（１）ガイド６２、押弦補助板Ａ、Ａ’６３、押弦補助板Ｂ、Ｂ’６４のいずれも押さえられていない、（２）押弦補助板Ａ、Ａ’６３のみが押さえられている、（３）押弦補助板Ｂ、Ｂ’６４のみが押さえられている、という３種類の状態が存在する。
【００６３】
図２０は、ＣメジャーとＡマイナーの混在する楽曲で使用される頻度の高い７つのコードのダイヤグラムと、各弦の押弦補助手段における弦押さえゴム６５の配置、及び各コードのコード指定ボタン６６を押した際の、どの押弦補助板を押すかを示す概念図である。
【００６４】
図２０において、１弦はＥ♭、２弦はその下のＢ♭、３弦はその下Ｇ♭、４弦はその下Ｄ♭、５弦はその下Ａ♭、６弦はその下Ｅ♭にチューニングされており、ギター弦押付部材６０を１フレットに取り付けることにより、標準チューニングの解放弦と同じ音を出すようになっている。
【００６５】
図２０において、例えばコードＥを指定するコード指定ボタン６６を押すと、３弦の１フレット、４弦の２フレット、５弦の２フレットが押さえられ、１弦から６弦への順でＥ、Ｂ、Ｇ＃、Ｅ、Ｂ、Ｅの音が出るようになっている。各コード指定ボタン６６を押すことで、それぞれのコードの構成音を出すことができる。
【００６６】
なお、本考案は上述した実施の形態で説明した構造には限定されず、各部の形状、構造等を適宜変形、変更し、ジャズやボサノバ等において用いられることの多いテンションノートを含んだテンションコード（不協和音）の構成音を出すことができる構造も設計し得る。また、押付部材としては、ゴム紐に限られず、バネなどの弾性部材やネジなどの締付部材を使用することもできる。
【符号の説明】
【００６７】
１      弦楽器用コード押さえ補助具
１０    ギター弦押付部材
１１    押付部材押さえゴム紐
１２    コード４・５共通押弦補助板
１３    コード４押弦補助板
１４    コード５押弦補助板
１５    コード４・５共通弦押さえゴム
１６    コード４弦押さえゴム
１７    コード５弦押さえゴム
１８    コード４指示突部
１９    コード５指示突部
２０    ネック
２１    １弦
２２    ２弦
２３    ３弦
２４    ４弦
２５    ５弦
２６    ６弦
３０    指板
３１    第３フレット
３２    第１フレット
４２    コード４ｍ・５共通押弦補助板
４３    コード４ｍ押弦補助板
４４    コード５押弦補助板
４５    コード４ｍ・５共通押さえゴム
４６    コード４ｍ第１弦押さえゴム
４７    コード４ｍ第２弦押さえゴム
４８    コード５第１弦押さえゴム
４９    コード５第２弦押さえゴム
５０    ウクレレ弦押付部材
５１    コード５弦押さえゴム付弦押さえ板押付部材
５２    コード４押弦補助板
５３    コード５押弦補助板
５４    コード４・５共通弦押さえゴム押付部材
５５    コード４・５共通弦押さえゴム押付部材貫通孔
５６    コード４・５共通弦押さえゴム付弦押さえ板
５７    コード４第１弦押さえゴム付弦押さえ板
５８    コード４第２弦押さえゴム付弦押さえ板
５９    コード５弦押さえゴム付弦押さえ板
６０    ギター弦押付部材
６１    弦
６２    ガイド
６３    押弦補助板Ａ、Ａ’
６４    押弦補助板Ｂ、Ｂ’
６５    弦押さえゴム
６６    コード指定ボタン
６７    ケース
６８    シリコンゴム
７０    ガード部材
７１    支持線
７２    透明コード４・５共通押弦補助板
７３    透明コード４押弦補助板
７４    透明コード５押弦補助板
【図１】
0003217159.tif 000003
【図２】
0003217159.tif 000004
【図３】
0003217159.tif 000005
【図４】
0003217159.tif 000006
【図５】
0003217159.tif 000007
【図６】
0003217159.tif 000008
【図７】
0003217159.tif 000009
【図８】
0003217159.tif 000010
【図９】
0003217159.tif 000011
【図１０】
0003217159.tif 000012
【図１１】
0003217159.tif 000013
【図１２】
0003217159.tif 000014
【図１３】
0003217159.tif 000015
【図１４】
0003217159.tif 000016
【図１５】
0003217159.tif 000017
【図１６】
0003217159.tif 000018
【図１７】
0003217159.tif 000019
【図１８】
0003217159.tif 000020
【図１９】
0003217159.tif 000021
【図２０】
0003217159.tif 000022